(57)【要約】  組成物分配装置は、厚く、かつ粘稠であるが、透明若しくは半透明のままであることが好ましいジンクピリチオンなどの抗刺激性剤を含む組成物を収容する。
2014506803.tif 000002
【特許請求の範囲】
【請求項１】
第１チャンバと、前記第１チャンバ内に収容される非発泡性水和組成物とを含む組成物分配装置であって、前記非発泡性水和組成物は、
ａ．前記非発泡性水和組成物の少なくとも８０重量％の水と、
ｂ．Ｂｒｏｏｋｆｉｅｌｄ  ＤＶＩＩ粘度計を使用し、２５℃にてＴ−Ａスピンドルを２．５ｒｐｍで使用して測定したときに、少なくとも１０，０００ｃｐｓ、及び最大で２００，０００ｃｐｓの粘度を前記非発泡性水和組成物に付与するのに十分な増粘剤であって、前記増粘剤は、カーボポール、ペムレン（pumulen）、及びこれらの混合物からなる群から選択される、増粘剤と、
ｃ．前記非発泡性水和組成物の１重量％未満の疎水性構成成分と、
ｄ．前記非発泡性水和組成物の１重量％未満の界面活性剤と、を含み、界面活性剤が入っていないことが好ましく、
ｅ．前記非発泡性水和組成物は、３２０ＮＴＵ未満の濁度の値を有する、組成物分配装置。
【請求項２】
前記非発泡性水和組成物が、５％未満の潤滑ポリマーを含む、請求項１に記載の組成物分配装置。
【請求項３】
前記非発泡性水和組成物が、少なくとも９０％の水、好ましくは少なくとも９５％の水を含む、請求項１又は２に記載の組成物分配装置。
【請求項４】
前記非発泡性水和組成物が、５％未満のアルコール、好ましくは２％未満のアルコールを含む、請求項１〜３のいずれか一項に記載の組成物分配装置。
【請求項５】
前記増粘剤が、１％〜５％の濃度で存在する、請求項１〜４のいずれか一項に記載の組成物分配装置。
【請求項６】
前記組成物分配装置（１００）は、毛除去ヘッド（６００）に接続されたハンドル（２００）を備え、前記ハンドルは、前記ハンドル内に配置される前記非発泡性水和組成物を収容するためのキャビティ（３００）と、前記キャビティから流体分配部材（５００）まで前記非発泡性水和組成物を移動させるように適合されたアクチュエータ（４００）とを更に含み、前記流体分配部材は、前記ハンドルの横断方向中心線に略垂直である少なくとも１つの分配オリフィス（５２０）を形成する、細長い弾性接触領域（５１０）を含む、請求項１〜５のいずれか一項に記載の組成物分配装置。
【請求項７】
前記細長い弾性接触領域が、フラップ弁、スリット弁、ダックビル弁、及びこれらの組み合わせから選択される一方向弁を形成する、請求項６又はそれから従属するいずれかの請求項に記載の組成物分配装置。
【請求項８】
前記キャビティが、前記非発泡性水和組成物を含む第１区画を形成し、前記キャビティが第２組成物のための第２区画を形成する、請求項６又はこれに従属するいずれかの請求項に記載の組成物分配装置。
【請求項９】
第２のスキンケア組成物が、アフターシェーブ、ローション、バーム、芳香剤、又はこれらの混合物からなる群から選択される、請求項６又はこれに従属するいずれかの請求項に記載の組成物分配装置。
【請求項１０】
前記組成物が、ピリチオン、ピリチオンの多価金属塩、及びこれらの混合物を含む、０．０１％〜５％の抗刺激性剤を更に含む、請求項１〜９のいずれか一項に記載の組成物分配装置。
【請求項１１】
前記ピリチオンがジンクピリチオンであり、かつ０．５〜１０マイクロメートルの中央粒径、０．５〜１０マイクロメートルの平均粒径（mean particle diameter）、及び０．６〜１５マイクロメートルの厚さを有する小板状の形体である、請求項１０又はこれに従属するいずれかの請求項に記載の組成物分配装置。
【請求項１２】
前記ジンクピリチオンが、最高で２０μｍの平均寸法（average size）を有する小板状粒子の形態である、請求項１０又はこれに従属するいずれかの請求項に記載の組成物分配装置。
【請求項１３】
０．００１％〜１０％の亜鉛塩を更に含む、請求項１０又はこれに従属するいずれかの請求項に記載の組成物分配装置。
【請求項１４】
前記組成物が、
ａ．２％〜４％の１つ以上の親油性スキンコンディショニング剤と、
ｂ．０．２５％〜３％の１つ以上の増粘剤と、
ｃ．０．２５％〜３％の１つ以上の乳化剤と、
ｄ．０．２５％〜３％の１つ以上の潤滑剤と、
ｅ．ジンクピリチオンを含む、０．２５％〜２．５％の抗刺激性剤と、を更に含み、
ｆ．ゲル網目組織を実質的に含まない、請求項１０又はこれに従属するいずれかの請求項に記載の組成物分配装置。
【発明の詳細な説明】
【背景技術】
【０００１】
いくつかの様々な組成物分配式かみそりが既知である。米国特許第７，００７，３８９号、同第６，３０８，４１３号、同第４，７５３，００６号、同第４，６３５，３６１号、同第６，９８６，２０７号、同第５，８５５，０６６号、及び同第４，１２９，９４２号を参照のこと。これら及び他の分配式かみそりは、透明又は半透明の剃毛ゲル若しくはローションなど様々なタイプの剃毛関連製剤を分配することができると説明されている。
【０００２】
例えば、かみそりヘッド及びカッターと皮膚との間の摩擦を減少させるとされる潤滑剤を分配できるブレードカッター備える、複数のかみそりヘッドを有する組成物分配式かみそりは、米国特許出願公開第２００８／０２１６３２２号及びＲＥ０３８９３４に開示されている。更に、Ｐｈｉｌｌｉｐｓ  Ｎｏｒｅｌｃｏは最近、Ｃｏｏｌ  Ｓｋｉｎ  Ｓｈａｖｅｒ（登録商標）という名称で組成物分配式かみそりを市販した。このかみそりは複数の回転式ブレードを含む大きな主要ヘッドを有し、並びに、この回転式ブレードの中央からＮｉｖｅａ  Ｆｏｒ  Ｍｅｎ（登録商標）保湿かみそりローションを分配し、この組成物がかみそりヘッドとカッターをコーティングすることを可能にし、皮膚との摩擦を減少させるといわれている。
【０００３】
配合者が組成物を別個の領域に、しかし素早く広げて大きな表面（例えばかみそりヘッド及びカッター）に接触する、及び／又はこれに被覆させたいなど、粘性が低い、すなわち粘稠がより少ない配合物が場合によっては望ましい場合がある。しかしながら、処置が必要とされる皮膚の部分から製品が流れ出ない、ないしは別の方法で製品が押しのけられないように、製品は十分に厚いことが望ましい場合もある。多くの様々なタイプの増粘剤及び粘度変性剤は、組成物の粘度及びレオロジーに影響を与えることもある。これらの成分の多くは、しかしながら、添加されたときに組成物の他の特性に影響を与える（組成物を糸状又は粘着性にする、又は組成物を濁らせる、又は不透明にする等）。厚さ及び粘度が変化する多くの透明及び／又は非発泡スキンケア組成物の例が既知である。例えば国際公開第９３／１８７４０号、英国特許第２２３６７６０号、米国特許第２，８３３，６９３号、同第３，０７２，５３６号、同第４，５８５，６５０号、同第４，９１７，８４４号、及び同第６，６２７，１８５号を参照のこと。
【０００４】
望ましい増粘効果、並びに洗浄及び発泡効果をもたらすと考えられている１つの分類の成分には界面活性剤が挙げられる。しかしながら、これらの界面活性剤の多くは、使用中及び場合によっては使用後に望ましくない皮膚の炎症を引き起こし得る。これは特に、除毛プロセスに続いて、ユーザーが組成物を髪から洗い流さない場合に特に関連があり得る。更に、多くの発泡組成物は、泡のために皮膚を見えにくくする場合もある。
【先行技術文献】
【特許文献】
【０００５】
【特許文献１】米国特許第７，００７，３８９号
【特許文献２】米国特許第６，３０８，４１３号
【特許文献３】米国特許第４，７５３，００６号
【特許文献４】米国特許第４，６３５，３６１号
【特許文献５】米国特許第６，９８６，２０７号
【特許文献６】米国特許第５，８５５，０６６号
【特許文献７】米国特許第４，１２９，９４２号
【特許文献８】米国特許出願公開第２００８／０２１６３２２号
【特許文献９】ＲＥ０３８９３４
【特許文献１０】国際公開第９３／１８７４０号
【特許文献１１】英国特許第２２３６７６０号
【特許文献１２】米国特許第２，８３３，６９３号
【特許文献１３】米国特許第３，０７２，５３６号
【特許文献１４】米国特許第４，５８５，６５０号
【特許文献１５】米国特許第４，９１７，８４４号
【特許文献１６】米国特許第６，６２７，１８５号
【発明の概要】
【発明が解決しようとする課題】
【０００６】
装置及び組成物の組み合わせの数は非常に多い。更に、使用できる多くの様々なタイプのパーソナルケア組成物を更に考慮すると、実施の数はほぼ無限になり得る。ほぼ無限数の、特徴の潜在的な組み合わせにも関わらず、十分に厚いが、望ましくなく濁っていない又は不透明でない組成物を分配することができる組成物分配装置に対する必要性が残っている。
【課題を解決するための手段】
【０００７】
本発明の一態様は、第１チャンバ内に収容される非発泡性水和組成物を含む組成物分配装置を提供し、前述の非発泡性水和組成物は、非発泡性水和組成物の少なくとも約８０重量％の水と、Ｂｒｏｏｋｆｉｅｌｄ  ＤＶＩＩ粘度計を使用し、２５℃にてＴ−Ａスピンドルを２．５ｒｐｍで使用して測定したときに、少なくとも１０，０００ｃｐｓ、及び最大で２００，０００の粘度を非発泡性水和組成物に付与するのに十分な増粘剤と、非発泡性水和組成物の約１重量％未満の疎水性構成成分と、非発泡性水和組成物の約１重量％未満の界面活性剤と、を含む。前述の装置に収容されるいずれかの組成物は、ピリチオン、ピリチオンの多価金属塩、及びこれらの混合物を含む抗刺激性剤を任意により含んでもよい。
【０００８】
一実施形態において、組成物分配装置は、毛除去ヘッドに接続されたハンドルを備え、このハンドルは、ハンドル内に配置される非発泡性水和組成物を収容するためのキャビティと、このキャビティから流体分配部材まで非発泡性水和組成物を移動させるように適合されたアクチュエータとを更に含み、流体分配部材は、ハンドルの横断方向中心線に略垂直である少なくとも１つの分配オリフィスを形成する、細長い弾性接触領域を含む。
【０００９】
別の態様は、本発明の非発泡性水和組成物を収容する組成物分配装置を提供する工程と、この組成物分配装置を作動させて、前述の組成物を分配する工程と、前述の組成物を、処置される皮膚の一部分上に接触させて、準備された表面を形成する工程と、前述の準備された表面を、組成物分配装置のかみそりブレードと接触させて、処置された表面を形成する工程と、を含む、皮膚から毛を除去する方法を提供する。
【図面の簡単な説明】
【００１０】
【図１】本発明の少なくとも一実施形態による非発泡性水和組成物と共に使用するのに好適な組成物分配装置の側面図。
【図２】組成物分配装置として使用するのに好適な他の実施形態の側面図。
【図３】組成物分配装置として使用するのに好適な他の実施形態の側面図。
【図４】図３に示される組成物分配装置の側面図であるが、装置は皮膚の一部分上で使用中。
【図５】本発明の１つ以上の実施形態による組成物分配装置の様々な底面図。
【図６】本発明の１つ以上の実施形態による組成物分配装置の様々な底面図。
【図７】本発明の１つ以上の実施形態による組成物分配装置の様々な底面図。
【図８】流体分配部材の一部分の分解組立図側面図。
【図９】図８の流体分配部材の接触領域の平面図。
【発明を実施するための形態】
【００１１】
重要なことに、組成物分配装置において使用される組成物を選択する際に、十分に厚く、かつ粘稠で、分配された後に皮膚から流れ出ない組成物を選択することが特に望ましい、ということが分かっている。更に、この組成物が、皮膚の上に分配された時に、組成物の下の表面が不適切に見えにくくならないように、透明又は半透明の外観を有することが望ましい場合がある。更に、特定の成分が、皮膚の炎症を減少させるよう組成物から最小限にされるか、又は除去されることが望ましい場合がある。他の実施形態では、組成物は、糸状がより小さいように配合される場合がある。これを実施する１つの方法は、特定の成分、（例えば潤滑ポリマー）の濃度が低い、又はゼロであるようにすることである。
【００１２】
１．非発泡性水和組成物
組成物分配装置によって分配される生成物は、皮膚科での使用に好適な非発泡性水和組成物である。本発明は、粘稠な水性組成物内の疎水性構成成分の存在が、水の水和効果に作用し、組成物が適用された毛を切断するのに必要とされる力を増加させる傾向がある場合がある。理論に束縛されるものではないが、疎水性構成成分は、毛の表面上の疎水性皮脂と優先的に結合し、かみそりブレードが足掛かりを得るのをより難しくする場合がある。換言すれば、ブレードは毛の上で滑り、毛根から毛幹まで更に下に切断するか、又は全く切断しない傾向を増加させる場合がある。したがって、理想的には本発明の方法において使用される粘稠で水性の組成物は疎水性構成成分を含まない。実際には、消費者は、皮膚に適用される製品が良い香りがするのを好むことが多く、芳香油は一般的に疎水性であるため、少量の疎水性構成成分は香り付き組成物には不可欠である。
【００１３】
本明細書で使用するとき、用語「疎水性構成成分」には油類、炭化水素油、及びシリコーン油、脂肪、脂肪族アルコール類、酸類及びエステル類、ペトロラタム並びにワックス類などが挙げられる。
【００１４】
本発明による方法で使用される組成物がわずかな疎水性構成成分を含むか、又は疎水性構成成分を全く含まないという事実の有益な副作用は、組成物が疎水性構成成分を乳化するために、界面活性剤、すなわち発泡界面活性剤又は非発泡界面活性剤を皆無か、又はほとんど追加で含まなくてもよいということである。界面活性剤は皮膚刺激性であり、よってそれらの排除は皮膚の炎症を低減するのに役立つ。更に、界面活性剤は水を結合するため、毛の水和に利用可能な水の量を減少させる傾向がある場合がある。いずれかの場合において、本組成物はそれらが使用中に発泡するのには不十分な界面活性剤を含む。
【００１５】
本発明の方法で使用される組成物は、皮膚を水和させる目的を達成するために可能な限り多くの水を含む。典型的に、組成物は少なくとも８０重量％、好ましくは少なくとも９０重量％、及びより好ましくは少なくとも９５重量％の非発泡性水和組成物を含む。理論によって束縛されることを意図しないが、そのような高濃度の水を備える組成物を提供することは、それが皮膚をより多くの水に露出させることができ、界面活性剤、ポリマーなど高濃度の他の成分を備える組成物よりも、又はスキンケア組成物で一般的に使用される他の組成物を備える組成物よりも、より良好な、及び／又はより速い水和をもたらすことができるため有益であり得る。高濃度の水を有する複雑性は、そうでなければ存在するであろう他の成分の多くが除去されないということである。これらの成分は望ましいレオロジー及び外観を維持するために事前に含まれている場合がある。このため、新しい増粘系は、高濃度の水が使用される他の成分の除去を補償するために使用されてもよい。
【００１６】
本発明の方法で使用される組成物は、Ｂｒｏｏｋｆｉｅｌｄ  ＤＶＩＩ粘度計を使用し、２５℃にてＴ−Ａスピンドルを２．５ｒｐｍで測定したときに、１０，０００〜２００，０００ｃｐｓ、好ましくは５０，０００〜１００，０００ｃｐｓの範囲の粘度を組成物にもたらすために任意の適切な方法で粘性を高めてもよい。そのような組成物の粘性を高める１つの適切な方法は、それらの粘性を高めてヒドロゲルを形成することである。ヒドロゲルはポリアクリル酸をベースとするのが好ましい。好ましいヒドロゲルは、カーボポール又はペムレンを使用して粘性が高められる。増粘剤の濃度は非発泡性水和組成物の約０．１重量％〜約５重量％、又は約０．１重量％〜約４重量％、又は約０．２５重量％〜約３重量％である。増粘剤の非限定的な部類としては、適切であれば、カルボン酸ポリマー類、架橋ポリアクリレートポリマー類、ポリアクリルアミドポリマー類、多糖類、粘土類、ゴム類、及びこれらの混合物から選択されるものが挙げられる。他の実施形態では、本発明の組成物は、カルボン酸ポリマー類、架橋ポリアクリレートポリマー類、ポリアクリルアミドポリマー類、多糖類、及びこれらの混合物から選択される増粘剤、より好ましくはカルボン酸ポリマー類、ポリアクリルアミドポリマー類、多糖類、及びこれらの混合物から選択される増粘剤が挙げられる。好適な増粘剤の一実施例は、アクリレート／Ｃ１０〜３０アルキルアクリレートクロスポリマー（Ｕｌｔｒｅｚ  ２１及びＥＴＤ２０２０としても既知である）である。カルボマー、例えばＣａｒｂｏｐｏｌ（Ｕｔｒｅｚ  １０としても既知である）が使用される場合、それは有利なことに塩基、例えばトリエタノールアミンと結合する。
【００１７】
理論によって束縛されることを意図しないが、本発明の増粘剤は、組成物が望ましい粘度を有することを可能にし、これによって、組成物が装置から皮膚上に分配された後、組成物は流れたり、又は垂れる可能性が少ない。このため、組成物は処置したい皮膚の部分上にとどまり、いずれかの毛が除去される前に水和する。これは、十分粘性でない組成物と比較したときに、それらの組成物はユーザーの皮膚から流れ、垂れる傾向があり、皮膚への望まし接触を確実にするために、追加の製品の分配を必要とするため、特に有益である。更に、装置から時期尚早に滴る、又は流れ落ちる組成物の損失は見苦しく、並びに装置を不快に滑りやすくし、使用するのを難しくするために、組成物がカートリッジ又は分配部材の付近に留まることを可能にすることは重要である。
【００１８】
一実施形態では、本発明の組成物は約５％未満、又は約３％未満、又は約２％未満、又は約１．５％未満、又は約１％未満、又は約０．５％未満の１つ以上の発泡性界面活性剤を含む。他の実施形態では、本発明の組成物は発泡性界面活性剤を含まない、又は実質的に含まない。発泡性界面活性剤は、本明細書で水と一体化され、機械的に撹拌されたときにフォーム又は泡を生じる界面活性剤と定義される。発泡性界面活性剤類としては、アニオン性発泡性界面活性剤類、両性発泡性界面活性剤類、及びこれらの混合物からなる群より選択されるものが挙げられる。一般に、発泡性界面活性剤類は明らかに水溶性である。アニオン性発泡性界面活性剤の例は、ＭｃＣｕｔｃｈｅｏｎの「Ｄｅｔｅｒｇｅｎｔｓ  ａｎｄ  Ｅｍｕｌｓｉｆｉｅｒｓ」（Ｎｏｒｔｈ  Ａｍｅｒｉｃａｎ  ｅｄｉｔｉｏｎ（１９８６）ａｌｌｕｒｅｄ  Ｐｕｂｌｉｓｈｉｎｇ  Ｃｏｒｐｏｒａｔｉｏｎにより出版）、ＭｃＣｕｔｃｈｅｏｎの「Ｆｕｎｃｔｉｏｎａｌ  Ｍａｔｅｒｉａｌｓ」（Ｎｏｒｔｈ  Ａｍｅｒｉｃａｎ  Ｅｄｉｔｉｏｎ（１９９２））、及び米国特許第３，９２９，６７８号に開示されている。本明細書では、多種多様なアニオン性発泡性界面活性剤が有用である。アニオン性発泡性界面活性剤の限定例には、サルコシネート、サルフェート、スルホネート、イセチオネート、タウレート、ホスフェート、ラクチレート、グルタメート、及びこれらの混合物からなる群から選択されるものが挙げられる。本明細書で有用な他のアニオン性材料は、典型的に約８〜約２４の炭素原子、好ましくは約１０〜約２０の炭素原子を有する脂肪酸の石鹸（すなわちアルカリ金属塩、例えばナトリウム又はカリウム塩）、モノアルキル、ジアルキル、及びトリアルキルリン酸塩、アルカノイルサルコシネートである。双極性又は両性界面活性剤の例は米国特許第５，１０４，６４６号及び同第５，１０６，６０９号に記載されている。スキンケア組成物に一般的に使用される他の界面活性剤（これは発泡性界面活性剤のこの定義には入らない場合がある）は、同じレベルで制御することができる。
【００１９】
発泡性界面活性剤の量を限定することによって、組成物は皮膚の炎症の問題を有することがより少ないと考えられる。これは、ユーザーが皮膚に組成物を残したままにできるように設計されている場合では、又はユーザーが使用後にユーザーの皮膚を洗浄するか、若しくは洗い流すことができない場合に特に望ましい。理論によって束縛されることを意図しないが、皮膚上に残された低レベルの界面活性剤でさえ、一部の皮膚の炎症を引き起こす場合がある。本発明の組成物から発泡性界面活性剤及び／又はいずれかの界面活性剤を限定すること、又はこれを除去することによって、配合物は皮膚の炎症を引き起こしにくい。
【００２０】
有利なことに、本発明の方法で使用される組成物は保湿剤を含む。好適な保湿剤には、多価アルコール、例えばグリセリン、プロピレングリコール、ジプロピレングリコール、ポリプロピレングリコール、ポリエチレングリコール、ソルビトール、ヒドロキシプロピルソルビトール、へキシレングリコール、１，３−ブチレングリコール、１，２，６−ヘキサントリオール、エトキシル化グリセリン、プロポキシル化グリセリン、及びそれらの混合物が挙げられる。最も好ましくは、保湿剤はグリセリンを含む。
【００２１】
本発明の方法で使用される組成物に潤滑ポリマーを添加することもまた有利であり得る。本明細書で使用するとき、「潤滑ポリマー」は１００，０００〜７，０００，０００の分子量を有する線状ポリマーであり、これは水に添加されると膨張する。かかるポリマーの非限定的な例は、ポリオキシエチレン、例えばＰＯＬＹＯＸ、及びポリオキシプロピレンである。
【００２２】
一実施形態では、しかしながら、組成物は約５％未満、又は約２％未満、又は約１％未満、又は約０．５％未満、又は約０．１％未満の潤滑ポリマー（例えばポリオキシエチレン、ポリオキシプロピレン）を含み、あるいは潤滑ポリマーを含まない、又は実質的に含まない。理論によって束縛されることを意図しないが、これらの潤滑ポリマーは有用な潤滑をもたらすと考えられるが、それらはまた、組成物を糸状にする場合もある。この曳糸性は特定の消費者にとっては望ましくない場合がある。
【００２３】
本発明による方法で使用される組成物は、様々な追加の任意の水溶性成分を含んでもよい。これらの追加の成分の非限定的な例には、更なる水溶性スキンケア活性物質、例えばペプチド、ビタミン及びその誘導体、例えば、アスコルビン酸、ビタミンＡ、ビタミンＢ３（例えばナイアシンアミド）及びビタミンＢ５（例えばパンテノール）、酸化防止剤、皮膚鎮静及び治癒剤、例えばアロエベラ抽出物、アラントイン等、キレート化剤、並びに金属イオン封鎖剤が挙げられる。
【００２４】
非発泡性水和組成物は１つ以上の他の有益剤も含むことができる。かみそりの流体に含有される皮膚及び／又は毛用の好適な有益剤は、米国特許第６，７８９，３２１号に開示される。例えば、好適な有益剤には、シェービングソープ、潤滑剤、スキンコンディショナー、皮膚保湿剤、毛柔軟剤、ヘアーコンディショナー、香料、皮膚洗浄剤、細菌又は医療用ローション、血液凝固剤、抗炎症剤、収斂剤、及びこれらの組み合わせが挙げられるが、これらに限定されない。他の実施形態では、より単純な配合物が望ましい場合では、組成物は１つ以上のこれらの剤を含まないか、又はこれらの剤を本質的に含まない。成分を含まないとは、本明細書で定義されるように、その成分のいかなる量も添加されないが、加工又は他の成分供給からキャリーオーバーとして微量が存在する場合がある。
【００２５】
組成物は、追加の任意成分を更に含むことができる。好適な追加の任意成分としては、芳香剤、防腐剤、キレート化剤、皮膚感覚剤（例えば、メントール）、落屑活性物質類、抗ニキビ活性物質、皺予防／抗皮膚萎縮活性物質、酸化防止剤／ラジカルスカベンジャー、フラボノイド、抗炎症剤、抗セルライト剤、局所麻酔剤類、日焼け活性物質類、皮膚美白剤類、皮膚鎮静及び治療活性物質、抗菌活性物質類、日焼け止め活性物質、視覚的皮膚エンハンサー、保湿剤（humectant）及び保湿剤（moisturizing agent）（例えばグリセリン、グリコール、ソルビトール）等が挙げられる。そのような任意の成分は米国特許出願公開第２００６／０２３９９５３号において、より詳細に説明されている。好ましい追加の任意成分としては、サリチル酸、乳白剤（例えば雲母及び二酸化チタン）、芳香剤、親水性コンディショニング剤（例えばグリセリン）及び皮膚感覚剤（例えばメントール）が挙げられる。
【００２６】
組成物はまた、サリチル酸、その異性体、互変異性体、それらの塩類及び誘導体を約０．００１％〜約５％、又は約０．０１％〜約２％、又は約０．１％〜約１％の濃度で含んでもよい。理論に束縛されるものではないが、サリチル酸は皮膚上での治療に有効であると考えられる。更に、サリチル酸は、皮膚上のニキビの存在を治療するか、及び／又は低減することができる。本発明の髭剃り製剤を備えるそのような治療は、髭剃り製剤を皮膚に適用すること、及び髭剃り製剤で処置された皮膚を剃毛することを伴う。
【００２７】
皮膚科学的に許容可能な塩類としては、ナトリウム及びカリウムのようなアルカリ金属塩類；カルシウム及びマグネシウムのようなアルカリ土類金属塩類；非毒性重金属塩類；アンモニウム塩類並びにトリメチルアンモニウム及びトリエチルアンモニウムのようなトリアルキルアンモニウム塩類を挙げることができる。サリチル酸の誘導体類としては、ＣＨ３基が個別に又は組み合わされてアミド類、エステル類、アミノ基類、アルキル類、及びアルコールエステル類によって置換されたあらゆる化合物が挙げられるが、これらに限定されない。サリチル酸の互変異性体類は、互いに容易に変化でき、そのため通常は平衡状態で存在する、サリチル酸の異性体類である。それ故、サリチル酸の互変異性体類は化学式Ｃ７Ｈ６Ｏ３を有し、一般的にサリチル酸と類似の構造を有するように記述することができる。
【００２８】
本発明の組成物は約０．００１％〜約５％、あるいは、約０．０１％〜約２％、及びあるいは約０．１％〜約１％のα−又はβ−ヒドロキシ酸、及びそれらの誘導体類、塩類、異性体類及び互変異性体類を包含してよい。α−及びβ−ヒドロキシ酸の非限定例としては、α−ヒドロキシ酪酸、α−ヒドロキシイソ酪酸、α−ヒドロキシイソカプロン酸、α−ヒドロキシイソ吉草酸、アトロラクチン酸、β−ヒドロキシ酪酸、β−フェニル乳酸、β−フェニルピルビン酸、クエン酸、ピルビン酸エチル（citric acid ethyl pyruvate）、ガラクツロン酸、グルコヘプトン酸、グルコヘプトノ１，４−ラクトン（glucoheptono 1,4-lactone）、グルコン酸、グルコノラクトングルクロン酸、グルクロノラクトン、グリコール酸、ピルビン酸イソプロピル、乳酸、リンゴ酸、マンデル酸（amndelic acid）、ピルビン酸メチル（emthyl pyruvate）、ムチン酸、ピルビン酸、サッカリン酸、糖酸１，４−ラクトン、酒石酸及びタルトロン酸、及びこれらの混合物が挙げられる。
【００２９】
剃毛されている皮膚の領域と、剃毛されていない皮膚の領域との視覚的対比が望ましい場合は、乳白剤が組成物に添加されてもよい。乳白剤は無機又は有機化合物のいずれかであってもよい。無機乳白剤には例えば、二酸化チタン、酸化亜鉛、タルク、雲母又は被覆雲母（チタン、スズ、又は鉄若しくはオキシ塩化ビスマスの酸化物による）、ケイ酸アルミニウムマグネシウム、オキシ塩化ビスマス、又は他の鉱物が挙げられる。これらの化合物は、粉末、分散液、又は錯体として添加することができる。有機乳白剤には、例えば不透明な乳剤（例えばスチレン／ＰＶＰコポリマー、ビニルポリマー類、又はラテックス類）、分子１個当たり１４〜２０個の炭素原子を含有するアミンの金属塩、分子１個当たり１４〜２４の炭素原子を含有するアルカノールアミド類、分子１個当たり１４〜２０個の炭素原子を含有する有機アルコール類、ステアリン酸の不溶性の塩類、グリコールモノ又はジステアレート、プロピレングリコール及びグリセロールモノステアレート類、並びにパルミチン酸塩類が挙げられる。これらの乳化剤の組み合わせもまた使用することができる。乳白添加物は典型的に、組成物の約１重量％〜約６重量％、好ましくは約２重量％〜約５重量％の量で含まれる。
【００３０】
ａ．抗刺激性剤
一実施形態では、本発明の非発泡性水和組成物は、抗刺激性剤を更に含む。抗刺激性剤はピリチオン、ピリチオンの多価金属塩、又はこれらの混合物であってもよい。小板状及び針晶構造などの、いかなる形態の多価金属のピリチオン塩も用いてよい。本明細書での使用に好ましい塩としては、多価金属のマグネシウム、バリウム、ビスマス、ストロンチウム、銅、亜鉛、カドミウム、ジルコニウム及びこれらの混合物から、より好ましくは亜鉛から形成されているものが挙げられる。本明細書で用いるのに更により好ましいのは、１−ヒドロキシ−２−ピリジンチオンの亜鉛塩（「ジンクピリチオン」又は「ＺＰＴ」として知られている）であり、より好ましくは小板状粒子形態のＺＰＴであり、ここで粒子の平均の大きさは、約２０μｍまで、好ましくは約５μｍまで、より好ましくは約２．５μｍまでである。
【００３１】
ピリジンチオン抗菌剤及び抗ふけ剤は、例えば、米国特許第２，８０９，９７１号、同第３，２３６，７３３号、同第３，７５３，１９６号、同第３，７６１，４１８号、同第４，３４５，０８０号、同第４，３２３，６８３号、同第４，３７９，７５３号、及び同第４，４７０，９８２号に記載されている。
【００３２】
小板状ＺＰＴは、約０．５マイクロメートル〜約１０マイクロメートル、あるいは約１マイクロメートル〜約５マイクロメートル、及びあるいは約３マイクロメートルの中央粒径；約０．５マイクロメートル〜約１０マイクロメートル、あるいは約１マイクロメートル〜約５マイクロメートル、あるいは約２マイクロメートル〜約４マイクロメートル、及びあるいは約３マイクロメートルの平均粒径、並びに約０．６〜約１５マイクロメートル、あるいは約０．６〜１マイクロメートル、あるいは約０．６マイクロメートル〜約０．８マイクロメートル、及びあるは約０．６マイクロメートル〜約０．７マイクロメートルの厚さを含む。小板状ＺＰＴはまた、約５未満、及びあるいは約１未満の全長を有してもよい。
【００３３】
好ましい実施形態は、０．０１％〜５％の、あるいは０．０５％〜２％の、あるいは０．１％〜１％の、あるいは０．２％〜約０．７％の、あるいは約０．５％の抗刺激性剤を含む。
【００３４】
本発明の組成物は必要に応じて、有効量の亜鉛塩を包含する。本発明の好ましい実施形態は、２５℃における水性溶解度が約２５重量％未満の、より好ましくは約２０重量％未満の、より好ましくは約１５重量％未満の水溶性を有する、有効量の亜鉛塩を包含する。本発明の好ましい実施形態は、約０．００１％〜１０％の、より好ましくは約０．０１％〜５％、より好ましくは約０．１％〜約３％の亜鉛塩を包含する。好ましい実施形態では、亜鉛塩は１００ｎｍ〜３０μｍの平均粒径を有する。
【００３５】
本発明の特定の実施形態に有用な亜鉛塩の例には、アルミン酸亜鉛、炭酸亜鉛、酸化亜鉛及び酸化亜鉛を含む材料（即ちカラミン）、リン酸亜鉛（即ちオルトエステル及びピロリン酸塩）、亜鉛セレン化物、硫化亜鉛、亜鉛ケイ酸塩（即ちオルト及びメタ亜鉛ケイ酸塩）、ケイフッ化亜鉛、亜鉛ホウ酸塩、亜鉛水酸化物及びヒドロキシ硫酸塩、亜鉛含有層状材料、並びにこれらの組み合わせが挙げられる。
【００３６】
抗刺激性剤及び亜鉛塩を有する実施形態において、亜鉛塩と抗刺激性剤の比率は好ましくは５：１００〜５；１、より好ましくは約２：１０〜３：１、より好ましくは更に１：２〜２：１である。
【００３７】
組成物が皮膚上に残されるか、又は洗い流されるかによって、悪臭制御及び／又は抗菌の効果を含むがこれに限定されない、スキンケア組成物から望ましい他の効果を本発明の抗刺激性剤が有することができるということを当業者は理解するであろう。
【００３８】
理論によって束縛されることを意図しないが、これらの抗刺激性剤剤は、炎症の低減若しくは制御、並びに特定の悪臭制御など、様々な利益を提供することができると考えられる。一実施形態において、組成物は悪臭制御剤など他の剤を更に含む。本発明の悪臭有効成分は、抗菌効果をもたらすことができる。このような悪臭有効成分は、微生物を破壊することができ、微生物の発達を阻止することができ、又は微生物の病原作用を予防することができる。悪臭有効成分の安全かつ有効な量は、組成物の約０．００１重量％〜約１０重量％、又は約０．０１重量％〜約５重量％、又は約０．０５重量％〜約２重量％、又は約０．１重量％〜約１重量％、又は約０．３重量％〜約０．７重量％、又は約０．５重量％添加することができる。
【００３９】
悪臭有効成分の例としては、β−ラクタム剤、キノロン剤、シプロフロキサシン、ノルフロキサシン、テトラサイクリン、エリスロマイシン、アミカシン、２，４，４’−トリクロロ−２’−ヒドロキシジフェニルエーテル、３，４，４’−トリクロロバニリド、フェノキシエタノール、フェノキシプロパノール、フェノキシイソプロパノール、ドキシサイクリン、カプレオマイシン、クロルヘキシジン、クロルテトラサイクリン、オキシテトラサイクリ、クリンダマイシン、エタンブトール、イセチオン酸ヘキサミジン、メトロニダゾール、ペンタミジン、ゲンタマイシン、カナマイシン、リネオマイシン、メタサイクリン、メテナミン、ミノサイクリン、ネオマイシン、ネチルミシン、パロモマイシン、ストレプトマイシン、トブラマイシン、ミコナゾール、塩酸テトラサイクリン、エリスロマイシン、亜鉛エリスロマイシン、エリスロマイシンエストレート、ステアリン酸エリスロマイシン、硫酸アミカシン、塩酸ドキシサイクリン、硫酸カプレオマイシン、グルコン酸クロルヘキシジン、塩酸クロルヘキシジン、塩酸クロルテトラサイクリン、塩酸オキシテトラサイクリン、塩酸クリンダマイシン、塩酸エタンブトール、塩酸メトロニダゾール、塩酸ペンタミジン、硫酸ゲンタマイシン、硫酸カナマイシン、塩酸リネオマイシン、塩酸メタサイクリン、馬尿酸メテナミン、マンデル酸メテナミン、塩酸ミノサイクリン、硫酸ネオマイシン、硫酸ネチルミシン、硫酸パロモマイシン、硫酸ストレプトマイシン、硫酸トブラマイシン、塩酸ミコナゾール、ケタコナゾール、塩酸アマンファジン、硫酸アマンファジン、オクトピロックス、パラクロロメタキシレノール、ナイスタチン、トルナフテート、亜鉛ピリチオン、クロトリマゾール、及びこれらの混合物が挙げられる。
【００４０】
本発明に方法によると、非発泡性水和組成物内に含まれる水以外の、いずれかの水を添加して、又は添加せずに（すなわち湿潤した剃毛装置又は乾燥した剃毛装置として）、非発泡性水和組成物を含む製品を分配するかみそりを使用して、人は顔を剃毛することができる。組成物自体の内部の水だけを使用して剃毛が実施できるため、並びに組成物は低レベルの界面活性剤を含むため、本方法は環境に優しいという利益を有する。そのような場合では、これらの組成物は発泡しないため、ユーザーは剃毛の進展を追跡すること、すなわち、皮膚のどの領域が既に剃毛されているのか、及びどの領域が剃毛されていないのかを確立すること（以下「追跡」と呼ぶ）が難しい場合がある。上記で説明したように、追跡を容易にするために、乳白剤又は着色剤が非発泡性水和組成物に添加されてもよい。いずれかの水分散性水溶性着色剤、例えば有機色素、封入された有機色素、又は金属酸化物顔料が使用されてもよい。
【００４１】
他の実施形態では、従来の発泡剃毛製剤は、本装置を用いて剃毛するために皮膚に適用することができる。非発泡性水和組成物のみを使用して、剃毛しないとユーザーが決定した場合では、発泡性剃毛製剤が剃毛の前に追加で適用される場合がある。２つのそのような組成物の使用は、単一の組成物のみを使用して得ることができない効果の提供を可能にする場合がある。
【００４２】
本装置の使用前に、顔の上に既に存在し得る発泡性剃毛製剤と混合したとき、本発明の方法で使用される非発泡性水和組成物は、濃いクリーム状の混合物を生じさせることができる。疎水性構成成分、例えばオイルの存在は泡の安定性を減少させる場合があるということが知られている。本明細書で定義されるような、低オイル又はオイルフリーの非発泡性水和組成物は、後で適用された泡を崩壊させない傾向がある。これは良好な追跡を促進することができる。
【００４３】
理論によって束縛されることを意図しないが、この装置及び組成物を、使用後に組成物を更に洗い流さずに使用することが好ましい場合がある。本発明の組成物は、それが乾燥型剃毛又は湿潤型剃毛の使用において有用であり得るように、水和効果をもたらし、かつ皮膚に対して、より刺激が少ないように設計されている。一実施形態では、ユーザーは剃毛の後に処置された表面を洗い流さないように指示される。
【００４４】
本発明の更なる態様によると、（ａ）本発明の製品分配装置、及び（ｂ）発泡性剃毛製剤を含むキットが提供される。定義された方法において、このキットの要素を使用することは、それが異なる剃毛経験を得るため、発泡性剃毛製剤のみを使用するよりも、より良好な剃毛をもたらす場合がある。
【００４５】
ｂ．組成物の濁度
一実施形態において、パーソナルケア組成物は、本明細書に開示される濁度計試験方法によって測定されるとき、約３２０ＮＴＵ未満、あるいは約２５０ＮＴＵ未満、あるいは未満約２００ＮＴＵ未満、あるいは約１５０ＮＴＵ未満、あるいは約１００ＮＴＵ未満の濁度を含む。約１５０未満、あるいは約１００未満の濁度を有する組成物は、「透明である」と見なされる一方で、約３２０未満、あるいは約２５０未満の濁度を有する組成物は、「半透明である」と見なされる。一実施形態では、濁度は組成物が静止時に測定される。他の実施形態では、濁度は、組成物が組成物分配装置から分配されてから５秒以内に測定される。
【００４６】
本明細書で使用するとき、濁度は、Ｈａｃｈ  Ｃｏｍｐａｎｙ（Ｌｏｖｅｌａｎｄ，ＣＯ．）によるＨａｃｈ  Ｍｏｄｅｌ  ２１００ＡＮ  Ｔｕｒｂｉｄｉｍｅｔｅｒ（「濁度計（Turbimeter）」）を使用して決定される。ＳｔａｂｌＣａｌは、Ｈａｃｈ  Ｃｏｍｐａｎｙの商標である。
【００４７】
濁度計濁度方法：濁度計は、０．１ＮＴＵ〜７５００ＮＴＵの濁度を測定する。濁度計は濁度測定の比濁原理に基づいて操作する。濁度計の光学システムは、タングステンフィラメントランプ、散乱光を測定するための９０°検出器及び透過光検出器を含む。濁度計のマイクロプロセッサーは、９０°検出器からの信号と透過光検出器の信号との比を計算する。この比法は色及び／又は光吸収物質からの干渉を修正し、ランプ輝度における変動を補正する。
【００４８】
較正は、この濁度計と共に提供されるＳｔａｂｌＣａｌ（登録商標）Ｓｅｃｏｎｄａｒｙスタンダードによる。希釈されていない試料が試料セル中に含有され、外側のセル壁は水及び指紋がつかないように拭かれる。濁度又は迷光に寄与し得る試料セルの壁の上にある小さな欠陥及び傷を被覆するために、シリコーンオイルの薄いコーティングが試料セルの外側の壁に適用される。測定が行われ、結果はＮＴＵ単位で表示される。全ての試料は平衡化され、２５℃で測定される。試料は作製後２４時間以内に測定される。
【００４９】
一実施形態では、本装置内に含まれる組成物は、上記に開示されている非発泡性水和組成物以外のものである場合がある。一実施形態では、組成物分配装置は、米国特許出願公開第２０１１／０２７２６６７号に開示されているような剃毛調製剤を含む。
【００５０】
親油性スキンコンディショニング剤
本発明の剃毛調整剤は、１種以上の親油性スキンコンディショニング剤類を使用することができる。このスキンコンディショニング剤の濃度レベルは、単独で又は総じて、ベース組成物の約０．１％重量％〜約１２重量％の範囲であり得る。いくつかの好ましい濃度レベルには約１％超、約２％〜約５％、及び約２％〜約４％が挙げられる。親油性のスキンコンディショニング剤の濃度レベルを特定しない添付の請求項の範囲は、この段落に記載されるレベルに限定されないということが理解される。
【００５１】
代表的なスキンコンディショニング剤は、アルキルエーテル、鉱物油、イソパラフィン、Ｃ２０超の水素添加ポリイソブテン、及びペトロラタムからなる群から選択される炭化水素類、炭化水素重合体、エステル類、エーテル類、及びシリコーン類、並びに分岐状のＣ１６〜Ｃ２２アルキル鎖、及び線状若しくは分岐状のＣ１〜Ｃ６のアルキル鎖からなるモノアルキル群からなるエステルを含む。一部の好ましいスキンコンディショニング剤は、イソステアリン酸誘導体、例えばイソステアリルイソステアレート、イソステアリン酸イソプロピル、及びこれらの混合物、ＰＰＧ−１５ステアリルエーテル、及びジメチコーンンを含む。パーソナルケア組成物の形体及び目的の皮膚効果によって、当業者に既知の他のスキンコンディショニング剤が採用されてもよい。
【００５２】
スキンコンディショニング剤はまた、剃毛組成物の形体で本明細書では提供されているパーソナルケア組成物の摩擦係数を低減するのに役立つことができる。摩擦の減少は、かみそりブレードで１回以上皮膚に接触することから生じる場合がある、皮膚の炎症の可能性を減少させることができる。これに関して、スキンコンディショニング剤の使用は剃毛調整剤で含まれる潤滑剤（以下でより詳細に説明される）のタイプ及び濃度に関して、配合の柔軟性を可能にすることもできる。
【００５３】
一実施形態では、本発明の剃毛調整剤は、カチオン性ポリマー及びカチオン性アンモニウム塩を含むがこれに限定されない、いずれかのカチオン性スキンコンディショニング剤を含まないか、又は実質的に含まない。かかるスキンコンディショニング剤の例は、置換第四級アンモニウム化合物（すなわちクオタニウム、ステアラルコニウムクロリド及びグアーヒドロキシプロピルトリモニウムクロリド）を含む。本発明で限定されるか、又は使用されないことが好ましいカチオン性スキンコンディショニング剤の更なる例に関しては、米国特許第４，５８６，６５０号（２段、５４行以下参照）を参照されたい。重要なことに、本発明は前述のカチオン性スキンコンディショニング剤を必要とすることなく、望ましい剃毛経験を得ることができる。これは、望ましい剃毛性能をもたらし、その一方で配合のコスト及び複雑性を低減するということが見出されている。本明細書で定義するように、「実質的に含まない」とは、他の成分又は加工条件からのキャリーオーバーであり得る微量は許容しながらも、組成物に前述の成分が全く添加されていないことを意味する。
【００５４】
増粘剤（増粘物質及びゲル化剤を含む）
本発明の剃毛製剤は、１つ以上の増粘剤を、組成物の約０．０５重量％〜約５重量％、あるいは約０．１重量％〜約４重量％、あるいは約０．２５重量％〜約３重量％含有してもよい。
【００５５】
増粘剤の非限定的な部類としては、適切であれば、カルボン酸ポリマー類、架橋ポリアクリレートポリマー類、ポリアクリルアミドポリマー類、多糖類、粘土類、ゴム類、及びこれらの混合物から選択されるものが挙げられる。
【００５６】
一実施形態では、本発明の組成物は、カルボン酸ポリマー類、架橋ポリアクリレートポリマー類、ポリアクリルアミドポリマー類、多糖類、及びこれらの混合物から選択される増粘剤、より好ましくはカルボン酸ポリマー類、ポリアクリルアミドポリマー類、多糖類、及びこれらの混合物から選択される増粘剤が挙げられる。
【００５７】
乳化剤
本発明の剃毛製剤は、１つ以上の乳化剤を、組成物の約０．０５重量％〜約８重量％、あるいは約０．１重量％〜約５重量％、あるいは約０．２５重量％〜約３重量％含有してもよい。
【００５８】
本発明の組成物において使用するための、乳化用の界面活性剤の非限定例は、「ＭｃＣｕｔｃｈｅｏｎ’Ｄｅｔｅｒｇｅｎｔｓ  ａｎｄ  Ｅｍｕｌｓｉｆｉｅｒｓ」（Ｎｏｒｔｈ  Ａｍｅｒｉｃａｎ  ｅｄｉｔｉｏｎ（１９８６）、ａｌｌｕｒｅｄ  Ｐｕｂｌｉｓｈｉｎｇ  Ｃｏｒｐｏｒａｔｉｏｎにより出版）及び「ＭｃＣｕｔｃｈｅｏｎ’ｓ，Ｆｕｎｃｔｉｏｎａｌ  Ｍａｔｅｒｉａｌｓ」（Ｎｏｒｔｈ  Ａｍｅｒｉｃａｎ  Ｅｄｉｔｉｏｎ（１９９２））に開示されている。特に好ましい乳化剤は非イオン性界面活性剤／乳化剤である。本明細書で有用な非限定的な乳化剤は、アルキルグルコシド、アルキルポリグルコシド、ポリヒドロキシ脂肪酸アミド、アルコキシル化脂肪酸エステル、スクロースエステル、アルコキシル化脂肪族アルコール、アミンオキシド、及びそれらの混合物からなる群から選択されるものが挙げられる。
【００５９】
潤滑剤
本発明の剃毛組成物は、組成物の約０．０５重量％〜約８重量％、あるいは約０．１重量％〜約５重量％、あるいは約０．２５重量％〜約３重量％の１つ以上の潤滑油を使用することができる。
【００６０】
代表的な潤滑剤には、潤滑性水溶性ポリマー、非水溶性粒子、及びヒドロゲル形成性（又は水膨潤性）ポリマー、及びこれらの混合物が挙げられる。
【００６１】
有用な潤滑性水溶性ポリマーは、約３００，０００と１５，０００，０００ダルトンとの間よりも大きい、好ましくは約１，０００，０００ダルトン超の分子量を有し得る。好適な潤滑性水溶性ポリマーの非限定例としては、ポリエチレンオキシド、ポリビニルピロリドン、及びポリアクリルアミドが挙げられる。非限定的な有用な非水溶性粒子には、無機粒子又は有機ポリマー粒子を挙げることができる。ヒドロゲル形成性ポリマーは典型的に、水中でおよそナノメートルスケールの組織化された三次元のドメインを形成する、極めて親水性のポリマーである。更なるポリマー潤滑剤には、セルロース誘導体、例えばヒドロキシエチルセルロース及びヒドロキシプロピルセルロースなどのヒドロキシアルキルセルロースポリマー、カルボキシメチルセルロース、並びにセルロースメチルエーテル及び多糖類ガム、例えばキサンタンガム、カラギーナンガム、グアーガム、ローカストビーンガム、及びヒドロキシプロピルグアーガムなどが挙げられる。
【００６２】
ゲル網状組織
一実施形態では、剃毛組成物はゲル網状組織を実質的に含まない。本明細書で使用するとき、用語「ゲル網状組織」とは、少なくとも１種の脂肪族両親媒性物質を含む、層状の又は小胞性の固体結晶相を指す。一実施形態では、本発明は、約５％未満の、約３％未満の、約１％未満の、あるいは約０．５％未満の少なくとも１つの脂肪族両親媒性物質を含有する。ゲル網状組織は、これらの系の洗い流しプロファイル（rinse profile）を減少させることが見出されている。脂肪族アルコールゲル網状組織は、美容クリーム及びヘアーコンディショナーにおいて長年にわたって使用されている。ゲル網状組織は、脂肪族両親媒性物質（例えばセチル又はステアリルアルコール）及び親水性相（例えば水）によって形成される再凝固した液用ゲル相である。それは、親水性相における再凝固プロセスにおける融解、次いで再凝固を経ることによって形成される。ゲル網状組織は典型的に、脂肪族両親媒性物質自体の融解温度よりも低い温度遷移を有する。
【００６３】
かかる剃毛製剤及びそのような製剤の作製方法の非限定的な例は、米国特許出願公開第２０１０／０２７２６６７号に説明されている。
【００６４】
２．組成物分配装置
本発明の組成物分配装置は、除毛プロセス中に本発明の組成物がそこから分配されるのを可能にする、任意のかかる装置であり得る。多くのタイプの組成物分配装置の例が既知である。一実施形態では、組成物分配装置は、１つ以上の安全かみそりを備える組成物分配式かみそりである。
【００６５】
一実施形態では、装置は自動振動及び／又は分配式かみそりである。例えば、Ｃｌａｒｋの米国特許出願公開第２００８／０２８９１８５号は、流体の送達を制御するための、電気的に起動可能な分配装置と、分配装置の作動を制御するための制御装置と、を有する流体送達システムを備えるかみそり開示する。制御装置は、近接又は接触に対して感度がよく、シェービングストロークを実施している間に剃られている肌に接触又は近接させられるように配置されたセンサー要素を含む。他の好適な装置は、Ｈａｗｅｓらの米国特許第７４４１３３６号に開示されており、これは、例えば目的の表面との近接若しくは接触、又は電気伝導度など、特定の環状条件が整ったときに、自動振動又は分配を可能にする制御装置を有する自動かみそりを開示する。これらのタイプの自動分配装置は特に有用であり、これによって組成物は、皮膚の上に所望の時間に分配することができ、したがって、さもなければ装置のヘッド又はその要素内に捕捉され得る、無駄になる製品を最小限にする。更に、ユーザーが除毛プロセス中にいつ分配動作を始めるかを決めるのが難しい場合があり得るため、自動装置を使用することは有利であり得る。例えば、ユーザーはうっかりと、尚早に又は過剰な分配を開始してしまい、望ましくなく大量の組成物を出してしまい、処置のために意図された表面を逃す可能性がある。自動分配は、しかしながら、特定のプロセスに有用であり得る手動式分配システムとしては要求されない。
【００６６】
本発明と共に使用するのに好適な他の組成物分配装置の非限定例は、米国特許出願公開第２００６／００２４０３８０号（Ｃｈｅｎｖａｉｎｕら）、同第２００７／００８４０７４号（Ｓｚｃｚｅｐａｎｏｗｓｋｉら）、米国特許第７，１２７，８１７；７，１２１，７５４号、及び同第６，７８９，３２１号に開示されるものが挙げられる。これらの例の一部では、製品は装置ヘッド（一般にかみそりカートリッジ）において、又はこの周辺付近で分配され得る。
【００６７】
１つの特に有用な実施形態では、組成物は、組成物が表面上に広いストリップで広がるのを可能にする分配オリフィス（例えばＣｈｅｎｖａｉｎｕらに米国特許出願公開第２００６／００２４０３８０号に説明されるルーメン）を備える細長い弾性接触領域を通じて分配され得る（特に図１７を参照）。同様な分配システムは、Ｒｏｙｌｅらの米国特許出願第６１／３４０２９９号（２０１０年３月１５日出願）に説明されている。このルーメン又は分配オリフィスは、本明細書で使用するのに望ましい具体的なレオロジー（厚さ及び粘度）を付与された本発明の非発泡性水和組成物を分配するときに、特に有用であり得る。特に、非発泡性水和組成物は厚く、かつ粘稠であるのが望ましいため、幅広であるが、薄い層の組成物を分配するように方向付けられた細長い分配オリフィス若しくは複数のオリフィスが望ましい場合がある。有利なことに、堆積した組成物の層は、処理される表面がかみそりブレード又は他の除毛ヘッドと接触する前に過剰に流れない、又は表面から垂れない。更に、組成物が透明又半透明である場合には、ユーザーは剃毛している箇所を容易に見ることができ、したがって、清浄な剃毛された領域（顎髭のラインなど）とするためにユーザーは微調整を行うことができる。これは、清浄な剃毛ラインを作るための微調整ができない回転刃を有する剃毛ヘッドを備える装置と比較して特に有益であり得る。
【００６８】
一実施形態において、組成物分配装置は、毛除去ヘッドに接続されたハンドルを備え、このハンドルは、ハンドル内に配置される非発泡性水和組成物を収容するためのキャビティと、このキャビティから流体分配部材まで非発泡性水和組成物を移動させるように適合されたアクチュエータとを更に含み、流体分配部材は、ハンドルの横断方向中心線に略垂直である少なくとも１つの分配オリフィスを形成する、細長い弾性接触領域を含む。流体分配部材は、除毛ヘッドの底部分まで延在又はそれに隣接してもよく、例えば、剃毛ストローク中に除毛ヘッドが皮膚に当てられる間にユーザーの皮膚との直接接触又は直接接触に近い接触を可能にする。流体分配部材は、少なくとも１つの細長いエラストマー接触領域を含む流体分配部材を含む。一実施形態では、流体分配部材は、細長いエラストマー接触領域から形成され得る一方向弁も含む。フラップ弁、スリット弁、又はダックビル弁を形成するエラストマー材料は皮膚と接触すると弁が変形し、１つ又は複数の分配オリフィスが流体を分配できるようなものであることが当業者に理解されるであろう。
【００６９】
一実施形態では、前述の細長い弾性接触領域は一方向弁を形成し、これは組成物が流出することのみを可能にするため、装置の管又はキャビティ内への望ましくない汚染の侵入が最小限とされる。一方向弁の非限定層には、ダイヤフラム逆止弁、スウィング逆止弁若しくは傾斜ディスク逆止弁、ストップチェック弁、リフトチェック弁、フラップ弁、スリット弁、及び／又はダックビル弁等の逆止弁が挙げられる。一実施形態では、流体分配部材は、除毛に先立って皮膚の上に空洞から流体を送達するために、細長いエラストマー接触部材の分配端部で少なくとも１つの分配オリフィスを、任意選択で２つ以上の分配オリフィスを形成する。流体が漏れるのを防ぐために、分配オリフィス（単数又は複数）のうちのいずれか又はすべてと共に、流体流路は逆止弁を含み得る。
【００７０】
他の実施形態では、キャビティは複数の区画を有することができる。例えば、キャビティは、非発泡性水和組成物を含む第１区画を有することができ、前述のキャビティは第２組成物のための第２区画を形成する。他の実施形態では、装置は複数のキャビティを備え、異なる組成物がその内部に含まれてもよい。一実施形態では、第２のスキンケア組成物は、アフターシェーブ、ローション、バーム、芳香剤、又はこれらの混合物からなる群から選択される。複数の組成物が内に含まれることを可能にする、既知の分配装置の例には、米国特許第６，９８６，２０７号、同第５，８５５，０６６号、及び同第４，１２９，９４２号が挙げられる。一実施形態では、非発泡性水和組成物は、例えば説明された、内部に複数の組成物を分配することができる装置と共に使用することができる。
【００７１】
ａ．除毛ヘッド
除毛ヘッドは、組成物分配装置が除毛剤と共に使用される場合は幅広いこすり落とし表面を含み得、又は装置が剃毛かみそりである場合はかみそりカートリッジを含み得る。除毛ヘッドは、交換可能であり得る、又はカートリッジ連結構造体に枢動可能に接続され得る。一態様では、カートリッジ連結構造体は、除毛ヘッドを解除可能に係合するために少なくとも１つのアームを含む。
【００７２】
除毛ヘッドがかみそりカートリッジである場合、カートリッジは多数の刃も含み得る。例えば、米国特許第７，１６８，１７３号は、Ｇｉｌｌｅｔｔｅ  Ｃｏｍｐａｎｙから市販される、多数の刃を備えるかみそりカートリッジを含む、Ｆｕｓｉｏｎ（登録商標）かみそりを一般的に説明する。更に、かみそりカートリッジはガード及び剃毛補助具を含み得る。様々なかみそりカートリッジが本発明に従って使用可能である。フィン、ガード及び／又は剃毛補助具を備える、及びこれらを備えない好適なかみそりカートリッジの非限定的な例としては、Ｆｕｓｉｏｎ（登録商標）、Ｖｅｎｕｓ（登録商標）の製品ラインでＧｉｌｌｅｔｔｅ  Ｃｏｍｐａｎｙによって販売されるもの、及び米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されるものが挙げられる。
【００７３】
ｂ．流体分配部材
本発明の流体分配部材は細長いエラストマー接触領域を含む。好適な細長いエラストマーの接触領域の非限定例は、米国特許出願公開第２００６／００２４０３８０号の図１〜９及び段落番号５２〜５８に説明されるような二重スリット弁又はダックビル弁が挙げられる。しかしながら、本発明は二重ルーメンが存在する必要がなく、更に、本発明の流体分配部材は、過去に開示されたパーソナルケア装置のヘッド範囲と反対に向いて、好ましくは先行して、流体を送達するように設計される。皮膚が除毛ヘッドと接触する前に流体を送達することによって、流体がより広く分散され、流体が皮膚内の折り重なり及び隙間と接触できる追加の時間が可能になる。一実施形態では、流体分配部材は、細長いエラストマー接触部材に先行することができる非エラストマー部分を更に含む。非エラストマー部分は、ハンドルの残りの任意の部分を形成するために使用される材料と同じ材料で形成され得る。一実施形態では、一方向弁は細長いエラストマー接触部材に形成されない。一方向弁は、前述の流体分配部材の非エラストマー部分に形成され得、又は供給通路、開口部、及び／若しくは流体分配流路等の前述の流体流路の任意の部分に形成され得る。
【００７４】
本明細書で定義される「細長い」は、対象物が長軸及び短軸を有し、長軸が短軸より少なくとも１０倍大きいことを意味する。流体分配部材の細長い部分は、高さより少なくとも１０倍大きい幅（長軸）を有する。一実施形態では、幅は、約２ｃｍ〜約１５ｃｍ、あるいは約３ｃｍ〜約１０ｃｍ、あるいは約４ｃｍ〜約８ｃｍの寸法である。別の実施形態では、細長いエラストマー一方向弁の高さは、約１ｃｍ、あるいは約０．５ｃｍ、あるいは約０．２ｃｍからであり、あるいは細長いエラストマー一方向弁は、非使用時に密閉した方向に偏倚される。製品の漏れを最小限にするために非使用時に細長いエラストマー一方向弁が密閉されない場合、逆止弁が実施形態で使用され得ることが当業者に理解されるであろう。別の実施形態では、流体は、非使用時でも密閉されず開いたままであるような弁の高さであっても、流体は十分に粘稠性があり、ユーザーによって作動されないとき、不要に漏れないようなものが選択される。
【００７５】
本明細書で定義される「エラストマー」は、一般的に可撓性で変形可能な材料を意味する。一実施形態では、細長いエラストマー接触部材は、約０．０１ＧＰａ〜約３．５ＧＰａ、あるいは約０．０２ＧＰａ〜約２ＧＰａ、あるいは約０．０５ＧＰａ〜約１ＧＰａ、あるいは約０．１ＧＰａ〜約０．５ＧＰａのヤング率を有する。エラストマー接触部材の形成に使用できる好適な材料の非限定的な例としては、ゴム、シリコーン、テフロン及びポリエチレンが挙げられる。理論に束縛されるものではないが、流体分配部材が皮膚と接触する箇所で流体分配部材にエラストマー材料を提供することは、非エラストマー流体分配部材から皮膚への刺激を減少させるので特に有用であると考えられる。更に、エラストマー材料は、流体分配部材の先端を変形させることができ、本体部分の非対称の形状をよりしっかりと係合する。一実施形態では、使用されるエラストマー材料は約３０〜約４０Ｄ単位のショア硬さを有する。
【００７６】
本明細書で定義される「スリット弁」は、弁が閉じたスリットを含み、エラストマー材料が曲がる又は変形することでスリットを開かせることによって流れがもたらされることを意味する。一般にスリット弁は、可動部のない一体構成体である。本明細書で定義される「ダックビル弁」は一種のスリット弁であり、弁の一方の端部が流体分配流路の出口にかぶさって伸長し、それ自体が通常丸い流路の形状に順応する。ダックビル弁の他方の端部は、自然の平らな形状を保持する。流体が流体分配流路を通って汲み出されるとき、ダックビルの平らな端部が開き、加圧流体を通過させる。しかしながら、圧力が取り除かれると、ダックビルの端部は平らな形状に戻り、逆流を防ぐ。本明細書で言及される他の逆止弁は、当該技術分野において既知である。
【００７７】
本明細書で定義される「一般的に垂直な」は、細長いエラストマー接触領域の横方向の寸法が、ハンドルを貫通する横断方向中心線に対して測定すると、約７５°〜約９０°の角度を形成することを意味する。細長いエラストマー接触領域は一般的に弾性であり、したがって性質上変形可能なので、流体分配領域が休止の状態で変形していない、又はユーザーによって操作されていないときにこの角度が測定される。細長いエラストマー接触領域は、流体分配部材が表面（皮膚）と係合する接触点を含む。一実施形態では、接触点は直線を形成する。別の実施例では、接触点は凹状の線又は凸状の線を形成する。同様に、本明細書で定義される「一般的に平行」は、対象物を通って形成される２本の直線が、休止位置にあるとき、平行である又は約０°〜約１５°の角度を形成することを意味する。
【００７８】
流体流路は少なくとも１つの流体分配オリフィスで終端する。一実施形態では、１つ以上の流体分配オリフィスが設けられる。流体分配オリフィスは、細長いエラストマー接触部材の形成に使用されるエラストマー材料から作られる。好ましくは、流体分配オリフィスは、流体分配部材に類似する幅広い形状及び狭い形状を有するが、異なる形状でもあり得る。一実施形態では、流体分配部材は、流体が分配されるとき、幅広く平らに塗布される流体がやはり被着され得るように、細長いエラストマー接触部材の幅に沿って間隔を置いた複数の流体分配オリフィスを含む。流体分配オリフィスは、円形、楕円形、三角形、正方形、長方形の形状、又はこれらの組み合わせであり得る。一実施形態では、流体分配オリフィスまでつながる細長いエラストマー接触部材の部分は、テーパ形状の出口通路を形成し、テーパリングは中に先細になり得る、又は外に先細になり得る。理論に束縛されるものではないが、テーパ形状の出口通路、特に外に先細になる出口通路は、オリフィスの横断面積がオリフィスにつながる通路の横断面積より大きい（larger that）ので、使用後にオリフィスの近くに存在し得る任意の流体を取り除きやすくするのに有用であり得ると考えられる。出口通路でのテーパ形状は、流体が空気と接触するのを最小に抑え、したがって流体が乾燥するのを最小に抑えるのに有用であり得る。
【００７９】
ｃ．作動装置
上記で説明したように、作動装置は、手動ポンプ又は自動ポンプ（電池式又は外部電源による）であり得る。ポンプは可動又は剛性のどちらかの壁を含み、その壁に力が作用され流体を移動させる。可動壁の場合は、可動壁はハンドルの上面又は下面のうちの１つ以上に配置されてもよい。剛性壁の場合は、力がポンプの非剛性側壁の動きを引き起こし、流体を通路の中を進ませる。
【００８０】
一実施形態では、作動装置はハンドルに存在し得る手動で作動するポンプである。別の実施形態では、作動装置は自動化され、電池又は外部電源で始動し得る。更に別の実施形態では、作動装置は剃毛ヘッドの動き（ヘッドの押し下げ、又は旋回軸を中心としたヘッドの回転等）によって作動するポンプを含み、ポンプを作動させる。更に別の実施形態では、流体分配部材の動きが作動として働き、ポンプを作動させ得るように、流体分配部材自体がバネ仕掛けで、皮膚等の表面との接触により引き込み可能であり得る。この種の実施形態では、装置が表面（皮膚等の）と接触するとき、剃毛ヘッドと表面接触する前に流体分配部材がかみそりの方へ押し返されるように、細長いエラストマー接触領域を剃毛ヘッドの一般平面を越えて延在させることが好ましい場合があることが当業者に理解されるであろう。次に、流体分配部材の動きがポンプを作動させ、流体が空洞から流体流路を通って、少なくとも１つの分配オリフィスから、最終的には皮膚上に逃げる又は押し出されることを可能にする。
【００８１】
本発明の他の特徴及び利点は、説明及び図面、並びに特許請求の範囲から明らかになる。
【００８２】
３．図
図１〜４は、本発明の少なくとも一実施形態による組成物分配装置の側面図を提供する。組成物分配装置（１００）は、剃毛等の除毛プロセス中に流体を分配するのに好適である。組成物分配装置（１００）は、ハンドル（２００）及び使い切りのかみそりカートリッジ等の除毛ヘッド（６００）を含む。除毛ヘッド（６００）は、頂部（６１０）及び底部（６２０）を含む。組成物分配装置は、直線刃又は回転刃を有する、湿式又乾式の手動又は動力付きのかみそりであり得ることが当業者に理解されるであろう。更に、組成物分配装置は脱毛剤と共に使用することが可能であり、したがってかみそりの使用を必要としない。ハンドル（２００）は、近位端（２２０）から遠位端（２３０）まで延びる長さ（２１０）、及びハンドルの中心軸線に沿って走る横断方向中心線（２４０）を有する。ハンドルは、ハンドル内に配置された流体（３５０）を収容するための空洞（３００）、及び流体を空洞から供給通路（４５０）を通して、ハンドルの近位端方向等のハンドル内に形成された開口部（４６０）に移動させるように適合された作動装置（４００）を含む。
【００８３】
組成物分配装置（１００）は、ハンドル（２００）内に形成された開口部（４６０）と流体連通する少なくとも１つの分配オリフィス（５２０）を形成する細長いエラストマー接触領域（５１０）を含む流体分配部材（５００）を含む。細長いエラストマー接触領域は、ハンドルの横断方向中心線（２４０）に概ね垂直である図５に示す横方向の寸法（５１５）を含む。除毛ヘッドは、横断方向中心線に概ね垂直である（his）横方向の寸法（６２５）も有する。一実施形態では、細長いエラストマー接触領域の横方向の寸法（５１５）の、除毛ヘッドの横方向の寸法（６２５）に対する比率は１：１０〜約１．５：１、あるいは約０．５：１〜約１：１である。理論に束縛されるものではないが、本明細書に述べるように、除毛ヘッドに関して横方向に適合した寸法の細長いエラストマー接触領域を設けることで、流体分配部材から分配された流体は、除毛ヘッドの十分に広い部分を覆い、皮膚一面に、及び皮膚の割れ目及び隅まで、好適な製品の広がりを提供すると考えられる。流体分配部材は開口部を介して空洞と流体連通し、流体分配流路（５４０）を形成し、供給通路及び流体分配流路は流体流路（５５０）を形成する。
【００８４】
一実施形態では、本装置は、流体流路に沿ったある箇所に位置する少なくとも１つの一方向弁（５３０）を含む。上述したように、いくつかの実施形態では、細長いエラストマー接触点は一方向弁を形成する。必要に応じて、追加の一方向弁も流体流路に沿って含み得る。
【００８５】
図１〜４に示す作動装置は手動ポンプであるが、自動ポンプも含み得る。図１〜４に示す作動装置は、手動又は自動であり得、積み重なった（及び実質的に平らな）構成成分である得るポンプを含んでもよく、特に、流体の流れを空洞から通路を通って開口部へと促進するように作用する可動壁を含んでもよい。本発明で用いるのに好適なポンプは、米国特許第５，９９３，１８０号に開示される。具体的には、このポンプは、可動壁によって境界づけられるポンプチャンバー、ポンプチャンバーに接続される入口通路及び出口通路、入口通路を閉じるための入口弁、及び出口通路を閉じるための出口弁を含む。ほとんどの例において、ポンプは、１回以上の剃毛ストロークに必要な流体の量をユーザーが容易に決定できるように、ユーザーの指によって加えられる圧力によって作動され得る。ユーザーの指圧によって圧力が付与されると、ポンプの弁は自動的に開くので、ユーザーの判断又は器用さに依存することなく、制御された量でかつ定量の流体を分配することが可能である。ユーザーの好みに応じて、ポンプの１つ以上の可動壁を、かみそりの上面又は下面に配置することも可能である。図１の作動装置は空洞に給送を施しているのを示す。この給送は、流体を流体流路を通って流体分配部材に押し出す圧力又は別の推進力の印加であり得る。しかしながら、図２に示す作動装置は、流体が供給通路に入り流体分配部材へ進む前に移送される受け入れチャンバを有する。流体を分配するパーソナルケア装置に用いる当該技術分野において既知のこれら及び他の作動装置及びポンプは、本発明に従って使用可能である。
【００８６】
空洞（３００）、又は空洞（３００）内の少なくとも１つの容器／サッシェは、除毛プロセス中に分配される流体（３５０）を含む。一実施形態では、空洞又は容器の流体（３５０）は補充可能又は交換可能である。
【００８７】
図２は、流体分配部材がハンドルに位置するヒンジ部材（５７０）によってハンドルに回動自在に取り付けられている側面図を提供する。更に、この図に示されるように、一実施形態では、流体分配流路（５４０）等の流体流路の部分は、ハンドル内に形成された開口部（４６０）を出た直後に露出され得る。
【００８８】
図３及び４は、流体分配部材が変形して示される組成物分配装置の例示的な２つの側面図を提供する。図３では、流体分配部材（５００）は、除毛ヘッドによって形成される一般に顔の面（facial plan）を越えて延在して示される。流体分配部材はエラストマー接触領域を含むので、除毛ヘッドの面を越えて延在する流体分配部材の部分は、図４に一般に描写されるように、装置が皮膚（７００）等の表面と接触するとき変形する。図４では、装置が「使用中」の位置にあるとき、流体分配部材は変形し、流体が細長いエラストマー接触領域内に形成された少なくとも１つの分配オリフィス（５２０）を出ることができる。細長いエラストマー接触領域は、除毛ヘッドに向かって曲がる、除毛ヘッドと反対に向いて曲がる、更には除毛ヘッドの部分と接触することも可能であり、全ては表面に対する装置の動き次第である。流体（３５５）の量が皮膚上に被着され、除毛ヘッドが皮膚に沿って下方軌道に動き、流体で処理された毛（７１０）を除去する。更に、図３に示す一方向弁は、流体分配部材が少なくとも１つの分配オリフィスを形成する箇所ではなく、流体流路に沿って配置される。
【００８９】
カートリッジ（６００）は、カートリッジ連結構造体（図示せず）によってハウジング（図示せず）の後部表面に取り付けられる。カートリッジ連結構造体は、ハウジングを回動自在に軸支するために延びる１つ以上のアームを含んでもよい。あるいは、カートリッジ連結構造体は、ハウジングをカートリッジ連結構造体から外す排除機構（例えば、ボタン）を含んでもよい。好適なハウジング及びカートリッジ連結構造体の非限定的な実施例は、米国特許第７，１９７，８２５号、同第５，８２２，８６９号、同第６，１６１，２８７号、及び同第５，７８４，７９０号に説明される。
【００９０】
かみそりカートリッジ（３００）は、頂部（２０４）と底部（２０６）との間に配置されるガード（３３０）又は潤滑ストリップを更に含んでもよい。ガード（３３０）は、皮膚表面が刃、又は第１の刃（１つ以上の刃が存在する場合）と係合する直前に皮膚表面を伸張するのに有用である。このガード（３３０）は、ユーザーにとって心地よい係合を可能にするエラストマー部材を典型的に含んでもよい。米国特許第７，１６８，１７３号は、開口部なしの好適なかみそりカートリッジ及びエラストマー材料を開示する。必要に応じてエラストマー材料は選択可能である。典型的には、使用するエラストマー材料は、例えば、２８〜６０のショアＡのジュロメーターを有する、ブロックコポリマー（又は他の好適な材料）である。
【００９１】
一方で、潤滑ストリップとしても知られる剃毛補助具は、流体と皮膚との間の接触が生じた後で皮膚に追加のトリートメントを提供する。潤滑ストリップは、流体中に存在するものと同じ皮膚成分又は追加皮膚成分を含んでもよい。好適な剃毛補助具／潤滑ストリップが、米国特許第７，０６９，６５８号、同第６，９４４，９５２号、同第６，５９４，９０４号、同第６，１８２，３６５号、同第Ｄ４２４，７４５号、同第６，１８５，８２２号、同第６，２９８，５５８号、及び同第５，１１３，５８５号に開示される。カートリッジ連結構造体（３１２）は、米国特許第Ｄ５３３，６８４号、同第５，９１８，３６９号、及び同第７，１６８，１７３号に開示されるように、ハンドル（３００）から解除可能に係合されてもよい。このようなカートリッジの連続使用がブレードの切れを鈍くしたときに、これら２つの構成要素のこの離脱により、かみそりカートリッジの交換が可能となる。したがって、このようなカートリッジは、ユーザーによって自由に交換可能及び使い捨て可能である。
【００９２】
図５は、本発明の少なくとも一実施形態による組成物分配装置の部分の底面図を提供する。除毛ヘッド（６００）が、複数の刃（６５０）、剃毛補助具（６４０）及びガード（６６０）を備えるかみそりカートリッジとして示される。かみそりカートリッジは、従来の直線刃の湿式かみそりカートリッジに典型的に使用される、例えば、約２ｃｍ〜約１０ｃｍ、あるいは約３ｃｍ〜約８ｃｍ、あるいは約４ｃｍ〜約７ｃｍの任意の長さの寸法であり得る横方向の寸法を有して示される。ハンドルの横断方向中心線は（２４０）として示されている。細長いエラストマー接触領域（５００）は、横断方向中心線に概ね垂直である横方向の寸法（５１５）を含む。この実施形態では、２つの流体分配オリフィス（５２０）が示される。流体分配オリフィスの異なる構成は、本発明の範囲内にあることが当業者に理解されるであろう。図５は、長さが等しく、互いに直線上に位置する２つの流体分配オリフィスを示す。長さは異なることが可能であり、オリフィスは同じ線上にないように互い違いに配列し得る。更に、少なくとも１つの流体分配オリフィスは、かみそりカートリッジ及び／又は刃の角度に一般的に平行に示されるが、オリフィスは角度が付けられ得る。少なくとも１つの流体分配オリフィス（５２５）の横方向の寸法は、オリフィスがかみそりカートリッジ及び／又は刃に対して座る角度にかかわらず、オリフィスによって覆われた最大の横方向距離として測定される。別の実施形態では、少なくとも１つの流体分配オリフィスは、曲線又は波線の形状を有し得る。一実施形態では、少なくとも１つの流体分配オリフィス（５２５）の横方向の寸法の、除毛ヘッド（６２５）の横方向の寸法に対する比率は約１：１０〜約１：１、あるいは約１：５〜約１：２である。
【００９３】
図６は、本発明の少なくとも一実施形態による組成物分配装置の部分の底面図を提供する。細長いエラストマー接触部材は、横断方向の中心軸線（５４０）をともなって示される。性質上変形可能かつ弾性のある細長いエラストマー接触部材は、必要に応じてねじる、曲げる、押し縮める、更に伸びることができる。この実施形態では、細長いエラストマー接触部材は回転経路（５４５）を有し、細長いエラストマー接触部材が横断方向の中心軸線を中心に回転できることを示す。この実施形態では、密閉位置で示す少なくとも１つの流体分配オリフィス（５２０）を形成する細長いエラストマー接触部材の部分は、ハンドルにより近い細長いエラストマー接触部材の部分より大きな横方向の寸法を有する。細長いエラストマー接触部材は、横方向の寸法を（ハンドルに向かって）遠位端から近位端に測定するとき、一定の、増加する、又は減少する横方向の寸法を有し得ることが当業者に理解されるであろう。
【００９４】
図７は、本発明の少なくとも一実施形態による別の組成物分配装置を示す。この実施形態では、流体分配部材（５００）の先端及び少なくとも１つの流体分配オリフィス（５２０）は双方とも凹状であり、したがって、体の部分により容易にフィットし得る。少なくとも１つの流体分配オリフィスは、横方向の寸法（５２５）を有して示される。これは、脚又は腕用の女性用に使用するために設計されている、女性用組成物分配装置に特に望ましい場合がある。この実施形態では、除毛ヘッド（６００）は、こすり落とす縁部（６８０）を有して示される。上述したように、除毛ヘッドはかみそりカートリッジでもあり得る。
【００９５】
一実施形態では、除毛ヘッドは皮膚と接触する縁部を有し、その縁部は平坦、凹状、又は凸状である。装置が使用される目的の身体の所望部分に基づいて、皮膚と接触するための縁部が異なる形状であることが好まれ得ることが、当業者に理解されるであろう。例えば、顔に使用される目的の組成物分配装置は、直線の縁部を有するアプリケータを有し得る。足に使用される目的の組成物分配装置は、凹の縁部を有するアプリケータを有し得る。好適なヘッド構成の非限定的な例は、米国特許第Ｄ３９９，６０１号、同第Ｄ２０３，８９２号、及び同第６５１，４２０号（Ｈａｇｌｏｃｋ）、米国特許第３，０８８，４７０号、同第３，８５８，９８５号、及び米国特許出願公開第２００４  ０１６８７４３（Ａ１）号（Ｇａｒｗｏｏｄ）、国際公開特許第９７／１８０４３Ａ１号（Ｗｅｉｓｓ）、及び、英国特許第１  ３９０  １５３号（Ｌａｂｏｒａｔｏｒｉｏ  Ｇｕｉｄｏｔｔｉ  ＆  Ｃ．Ｓ．ｐ．Ａ）に開示される。
【００９６】
図８は、角度を有しテーパ形状の遠位領域（ハンドルと反対に向いて延在する）を有する流体分配部材（５００）の分解側面図を提供する。流体分配オリフィス（５２０）は、流体流路（５５０）と流体連通して示される。一実施形態では、逆止弁が流体流路に沿って設けられる。別の実施形態では、流体分配オリフィスはフラップを含むか、又は非使用時に閉じるように設計され得る。その場合流体分配オリフィスは、上述したように一方向弁として働き得る。一実施形態では、流体流路は一定の横断面積又は異なる横断面積を有する。図８に示す流体流路は、流体分配オリフィスに近づくにつれてテーパ形状になる。
【００９７】
図９は、流体分配部材の使用中に皮膚と係合する接触領域の平面図を提供する。流体分配オリフィス（５２０）は破線で示され、非使用時に密閉され得る。流体分配部材の幅（５９０）、及び流体分配部材の高さ（５９５）が示される。一実施形態では、流体分配オリフィスは、約２ｃｍ〜約１５ｃｍ、あるいは約３ｃｍ〜約１０ｃｍ、あるいは約４ｃｍ〜約８ｃｍの幅を有する。多数の流体分配部材が提供される場合、幅は約０．２ｃｍ、又は約０．５ｃｍ、又は約１ｃｍまで更に小さくなり得る。流体分配オリフィスの幅は、装置が密閉状態にあるとき（非使用時）好ましくは０ｃｍであるが、オリフィスが開いたとき幅は変化し得、約０．０２ｃｍ〜約０．５ｃｍ、あるいは約０．０５ｃｍ〜約０．３ｃｍ、あるいは約０．１ｃｍ〜約０．２ｃｍであり得る。一実施形態では、非使用時、流体分配オリフィスは０ｃｍではない。この実施形態では、逆止弁が流体流路に沿ったある箇所に含まれ得、流体が流体分配オリフィスに達する前に流体の動きを制御する。別の実施形態では、流体分配オリフィスは、約０．５ｍｍ〜約１０ｍｍ、又は約１ｍｍ〜約３ｍｍの幅、及び約２０ｍｍ〜約８０ｍｍ、又は約３０ｍｍ〜約７０ｍｍ、あるいは約４０ｍｍ〜約５０ｍｍの長さを含む。
【００９８】
４．使用方法
上記のように、本装置は、剃毛時などの除毛プロセスで使用するように設計されている。本発明の一実施形態は、本明細書に記載の非発泡性水和組成物を収容する組成物分配装置を提供する工程と、この組成物分配装置を作動させて、前述の組成物を分配する工程と、前述の組成物を、処置される皮膚の一部分上に接触させて、準備された表面を形成する工程と、前述の準備された表面を、組成物分配装置のかみそりブレードと接触させて、処置された表面を形成する工程と、を含む、皮膚から毛を除去する方法を提供する。
【００９９】
他の実施形態は、皮膚の部分上の前述の組成物と接触する前、又は前述の準備された表面が、組成物分配装置と接触して処置された表面を形成した後のいすれかに、処置されるべき皮膚の部分を濡らす工程を更に含む。このプロセスはまた、処置された表面を、除毛工程の後に、更に洗浄若しくは洗い流すことなくそのまま放置する工程を含んでもよい。
【０１００】
他の実施形態では、組成物は、前述の組成物分配装置の分配部材から皮膚に直接、装置から分配される。この工程は手動で作動装置を動作させることによって、あるいは処置される表面と装置が近接している、又は接触しているときを検出する自動制御装置によって実施されてもよい。組成物はまた、装置の一部分上に分配されてもよく、これは次いで、組成物を適用するために皮膚と接触されるが、これは皮膚の上に直接分配が可能である場合には必然的ではない。
【０１０１】
更に他の実施形態では、皮膚の上の前述の組成物を接触させる工程及び、前述の処置される表面をかみそりブレードと接触させる工程は同時に発生してもよい。
【０１０２】
一実施形態では、装置は乾燥剃毛という状況で使用され、ユーザーは、処置される表面を水と接触させずに乾燥させてもよい。更に他の実施形態は、第２のスキンケア組成物、例えば剃毛後用組成物を処置される表面に適用する更なる工程を提供する。身だしなみの状況における本装置の使用のこれらの方法及び他の方法は、本発明の範囲内である。
【０１０３】
５．非発泡性水和組成物の実施例
【表１】
2014506803.tif 000003
１Ｎｏｖｅｏｎより供給
【０１０４】
この配合は以下のように実施する：
水及びグリセリンを攪拌しながら（約２００ｒｐｍで）５５℃まで加熱する。次いで、ＥＤＴＡ二ナトリウムを添加し、それが完全に溶解するまで５５℃で攪拌し続ける。次いで、攪拌しながら（約２５０ｒｐｍで）、カーボポールを慎重に分散させる。熱から外し、トリエタノールアミンを添加し、２００ｒｐｍで攪拌し続ける。次いで、２００ｒｐｍで攪拌し続けながら、パンテノールを添加する。温度が４５℃に到達したとき、ＤＭＤヒダントイン／カルバミン酸ブチルを添加し、５分間攪拌し続ける。最後に、香料を添加し、約５分間攪拌し続け、その後、１分、高剪断する（約７５００ｒｐｍで）。ＺＰＴは上記の好適のいずれかで添加してもよく、香料の後に添加されてもよいが、高剪断混合の前に添加する。
【０１０５】
本発明の装置と共に使用することができる組成物の他の例は、米国特許出願公開第２０１０／０２７２６６７号及び同第２００６／０２３９９５３号に開示されているものが挙げられる。
【０１０６】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体にわたって記載されるあらゆる最小数値限定は、それより大きいあらゆる数値限定を、そのようなより大きい数値限定が本明細書に明示的に記載されているかのように含む。本明細書全体にわたって記載されるあらゆる数値範囲は、そのようなより広い数値範囲内にあるあらゆるより狭い数値範囲を、そのようなより狭い数値範囲が本明細書に全て明示的に記載されているかのように含む。
【０１０７】
特に指定がない限り、本明細書の明細、実施例、及び請求の範囲における全ての部、比、及び百分率は重量基準であり、全ての数値限定は、当該技術分野により提供される通常の程度の精度で使用される。
【０１０８】
本明細書に開示した寸法及び値は、記載された正確な数値に厳密に限定されるものとして理解されるべきでない。むしろ、特に断らない限り、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【０１０９】
「発明を実施するための形態」において引用する全ての文献は、その関連部分において参照として本明細書に組み込まれるものであるが、いずれの文献の引用も、こうした引用が本発明の先行技術であることを容認するものとして解釈すべきではない。本書における用語のいずれかの意味又は定義が、参考として組み込まれた文献におけるいずれかの意味又は定義と相反する限りにおいては、本文書においてその用語に与えられた意味又は定義が適用されるものとする。特に指定のない限り、前置詞の「ａ」、「ａｎ」、及び「ｔｈｅ」は「１つ以上」を意味する。
【０１１０】
以上、本発明の特定の実施形態を例示、記載したが、本発明の趣旨及び範囲から逸脱することなく他の様々な変更及び改変を行いうる点は、当業者には明らかであろう。したがって、本発明の範囲に含まれるそのような全ての変更及び改変を添付の「特許請求の範囲」において網羅するものとする。
【図１】
2014506803.tif 000004
【図２】
2014506803.tif 000005
【図３】
2014506803.tif 000006
【図４】
2014506803.tif 000007
【図５】
2014506803.tif 000008
【図６】
2014506803.tif 000009
【図７】
2014506803.tif 000010
【図８】
2014506803.tif 000011
【図９】
2014506803.tif 000012
【国際調査報告】
2014506803.tif 000013
2014506803.tif 000014
2014506803.tif 000015
2014506803.tif 000016